(57)【要約】【課題】  印刷済みの印刷物を管理する。【解決手段】  印刷済み印刷媒体の媒体識別情報と該印刷媒体に対して印刷を行った画像形成装置の装置識別情報とを関係付けて記憶する記憶手段と、装置識別情報を画像形成装置内部に記憶する固体情報記憶手段と、画像形成装置の給紙部から給紙された印刷媒体の媒体識別情報を読み取る第１の読み取り手段と、画像形成装置の排紙部から排紙された印刷媒体の媒体識別情報を読み取る第２の読み取り手段と、一連の印刷動作中に、第１及び第２の読み取り手段によって読み取られた媒体識別情報が同一であった場合に、印刷媒体に印刷を行った画像形成装置の固体情報記憶手段に記憶されている装置識別情報と、読み取られた媒体識別情報とを関係付けて記憶手段に記憶する印刷管理手段とを備える。【選択図】    図１
2007065723.tif 000002
【特許請求の範囲】
【請求項１】
印刷済み印刷媒体の媒体識別情報と該印刷媒体に対して印刷を行った画像形成装置の装置識別情報とを関係付けて記憶する記憶手段と、
前記装置識別情報を画像形成装置内部に記憶する固体情報記憶手段と、
前記画像形成装置の給紙部から給紙された印刷媒体の媒体識別情報を読み取る第１の読み取り手段と、
前記画像形成装置の排紙部から排紙された印刷媒体の媒体識別情報を読み取る第２の読み取り手段と、
一連の印刷動作中に、前記第１及び第２の読み取り手段によって読み取られた媒体識別情報が同一であった場合に、前記印刷媒体に印刷を行った画像形成装置の固体情報記憶手段に記憶されている前記装置識別情報と、前記読み取られた媒体識別情報とを関係付けて前記記憶手段に記憶する印刷管理手段と
を備えたことを特徴とする印刷システム。
【請求項２】
印刷済み印刷媒体の媒体識別情報と該印刷媒体に対して印刷を行った画像形成装置の装置識別情報とを関係付けて記憶する記憶手段と、
前記装置識別情報を画像形成装置内部に記憶する固体情報記憶手段と、
前記画像形成装置の給紙部から給紙された印刷媒体の媒体識別情報を読み取る第１の読み取り手段と、
前記画像形成装置の印刷部において印刷された印刷媒体の媒体識別情報を読み取る第２の読み取り手段と、
前記画像形成装置の排紙部から排紙された印刷媒体の媒体識別情報を読み取る第３の読み取り手段と、
一連の印刷動作中に、前記第１、第２及び第３の読み取り手段によって読み取られた媒体識別情報が同一であった場合に、前記印刷媒体に印刷を行った画像形成装置の固体情報記憶手段に記憶されている前記装置識別情報と、前記読み取られた媒体識別情報とを関係付けて前記記憶手段に記憶する印刷管理手段と
を備えたことを特徴とする印刷システム。
【請求項３】
前記媒体識別情報は、前記印刷媒体に埋め込まれたＲＦＩＤタグに書き込まれていることを特徴とする請求項１または２のいずれかに記載の印刷システム。
【請求項４】
印刷済み印刷媒体の媒体識別情報と該印刷媒体に対して印刷を行った画像形成装置の装置識別情報とを関係付けて記憶する記憶手段と、前記装置識別情報を画像形成装置内部に記憶する固体情報記憶手段と、前記画像形成装置の給紙部から給紙された印刷媒体の媒体識別情報を読み取る第１の読み取り手段と、前記画像形成装置の排紙部から排紙された印刷媒体の媒体識別情報を読み取る第２の読み取り手段とを備えたことを特徴とする印刷システムにおける印刷管理プログラムであって、
一連の印刷動作中に、前記第１及び第２の読み取り手段によって読み取られた媒体識別情報が同一であった場合に、前記印刷媒体に印刷を行った画像形成装置の固体情報記憶手段に記憶されている前記装置識別情報と、前記読み取られた媒体識別情報とを関係付けて前記記憶手段に記憶する処理を
コンピュータに行わせることを特徴とする印刷管理プログラム。
【請求項５】
印刷済み印刷媒体の媒体識別情報と該印刷媒体に対して印刷を行った画像形成装置の装置識別情報とを関係付けて記憶する記憶手段と、前記装置識別情報を画像形成装置内部に記憶する固体情報記憶手段と、前記画像形成装置の給紙部から給紙された印刷媒体の媒体識別情報を読み取る第１の読み取り手段と、前記画像形成装置の印刷部において印刷された印刷媒体の媒体識別情報を読み取る第２の読み取り手段と、前記画像形成装置の排紙部から排紙された印刷媒体の媒体識別情報を読み取る第３の読み取り手段とを備えたことを特徴とする印刷システムにおける印刷管理プログラムであって、
一連の印刷動作中に、前記第１、第２及び第３の読み取り手段によって読み取られた媒体識別情報が同一であった場合に、前記印刷媒体に印刷を行った画像形成装置の固体情報記憶手段に記憶されている前記装置識別情報と、前記読み取られた媒体識別情報とを関係付けて前記記憶手段に記憶する処理を
コンピュータに行わせることを特徴とする印刷管理プログラム。
【発明の詳細な説明】
【技術分野】
【０００１】
本発明は、印刷物の管理を行う印刷システム及び印刷管理プログラムに関する。
【背景技術】
【０００２】
従来から無線タグを埋め込んだ用紙を用いて、作成された情報のセキュリティ管理および複製・配布管理ができる文書管理システムが知られている。これは、通常の用紙を収容する用紙トレイと、予め無線タグを埋め込んである用紙を収容する用紙トレイを持ち、複数枚数からなる印刷物を作成する際に、一組の出力のうちランダムに決定した１ページにのみ無線タグを埋め込んだ用紙を使用して印刷するとともに、埋め込まれた無線タグと印刷した文書とを対応付けて記憶しておき、この文書を複製するときには、読み出した無線タグの内容と、先に記憶した無線タグとが同一かを判断して、複製の禁止や配布先を管理するようにしたものであり、印刷された文書の管理を行うことができる（例えば、特許文献１参照）。
【特許文献１】特開２００５−０３５０９５号公報
【発明の開示】
【発明が解決しようとする課題】
【０００３】
ところで、バウチャー（金券）や小切手、領収証などの重要度の高い印刷物を印刷装置で印刷する際、書式が予め印刷された専用用紙を用いて印刷を行なう場合が多いが、特許文献１に記載の印刷物の履歴管理は、印刷したという記録だけがサーバへ送信されて管理されていたため、印刷物自体が本物であるか否かの管理まではできないという問題がある。すなわち持ち出した専用用紙に複写機でコピーされたり、別の印刷装置によって偽造されるというケースが発生してもそれが偽物であるという証明が難しかった。
【０００４】
本発明は、このような事情に鑑みてなされたもので、印刷された印刷物がコピーや偽造されたものではなく正規印刷物であることを証明することが可能な印刷システム及び印刷管理プログラムを提供することを目的とする。
【課題を解決するための手段】
【０００５】
本発明は、印刷済み印刷媒体の媒体識別情報と該印刷媒体に対して印刷を行った画像形成装置の装置識別情報とを関係付けて記憶する記憶手段と、前記装置識別情報を画像形成装置内部に記憶する固体情報記憶手段と、前記画像形成装置の給紙部から給紙された印刷媒体の媒体識別情報を読み取る第１の読み取り手段と、前記画像形成装置の排紙部から排紙された印刷媒体の媒体識別情報を読み取る第２の読み取り手段と、一連の印刷動作中に、前記第１及び第２の読み取り手段によって読み取られた媒体識別情報が同一であった場合に、前記印刷媒体に印刷を行った画像形成装置の固体情報記憶手段に記憶されている前記装置識別情報と、前記読み取られた媒体識別情報とを関係付けて前記記憶手段に記憶する印刷管理手段とを備えたことを特徴とする。
【０００６】
本発明は、印刷済み印刷媒体の媒体識別情報と該印刷媒体に対して印刷を行った画像形成装置の装置識別情報とを関係付けて記憶する記憶手段と、前記装置識別情報を画像形成装置内部に記憶する固体情報記憶手段と、前記画像形成装置の給紙部から給紙された印刷媒体の媒体識別情報を読み取る第１の読み取り手段と、前記画像形成装置の印刷部において印刷された印刷媒体の媒体識別情報を読み取る第２の読み取り手段と、前記画像形成装置の排紙部から排紙された印刷媒体の媒体識別情報を読み取る第３の読み取り手段と、一連の印刷動作中に、前記第１、第２及び第３の読み取り手段によって読み取られた媒体識別情報が同一であった場合に、前記印刷媒体に印刷を行った画像形成装置の固体情報記憶手段に記憶されている前記装置識別情報と、前記読み取られた媒体識別情報とを関係付けて前記記憶手段に記憶する印刷管理手段とを備えたことを特徴とする。
【０００７】
本発明は、前記媒体識別情報は、前記印刷媒体に埋め込まれたＲＦＩＤタグに書き込まれていることを特徴とする。
【０００８】
本発明は、印刷済み印刷媒体の媒体識別情報と該印刷媒体に対して印刷を行った画像形成装置の装置識別情報とを関係付けて記憶する記憶手段と、前記装置識別情報を画像形成装置内部に記憶する固体情報記憶手段と、前記画像形成装置の給紙部から給紙された印刷媒体の媒体識別情報を読み取る第１の読み取り手段と、前記画像形成装置の排紙部から排紙された印刷媒体の媒体識別情報を読み取る第２の読み取り手段とを備えたことを特徴とする印刷システムにおける印刷管理プログラムであって、一連の印刷動作中に、前記第１及び第２の読み取り手段によって読み取られた媒体識別情報が同一であった場合に、前記印刷媒体に印刷を行った画像形成装置の固体情報記憶手段に記憶されている前記装置識別情報と、前記読み取られた媒体識別情報とを関係付けて前記記憶手段に記憶する処理を
コンピュータに行わせることを特徴とする。
【０００９】
本発明は、印刷済み印刷媒体の媒体識別情報と該印刷媒体に対して印刷を行った画像形成装置の装置識別情報とを関係付けて記憶する記憶手段と、前記装置識別情報を画像形成装置内部に記憶する固体情報記憶手段と、前記画像形成装置の給紙部から給紙された印刷媒体の媒体識別情報を読み取る第１の読み取り手段と、前記画像形成装置の印刷部において印刷された印刷媒体の媒体識別情報を読み取る第２の読み取り手段と、前記画像形成装置の排紙部から排紙された印刷媒体の媒体識別情報を読み取る第３の読み取り手段とを備えたことを特徴とする印刷システムにおける印刷管理プログラムであって、一連の印刷動作中に、前記第１、第２及び第３の読み取り手段によって読み取られた媒体識別情報が同一であった場合に、前記印刷媒体に印刷を行った画像形成装置の固体情報記憶手段に記憶されている前記装置識別情報と、前記読み取られた媒体識別情報とを関係付けて前記記憶手段に記憶する処理をコンピュータに行わせることを特徴とする。
【発明の効果】
【００１０】
本発明によれば、印刷されたバウチャー（金券）や小切手、領収証などの印刷物が、正規の印刷装置で印刷された本物であることを追跡管理することが可能となり、予め書式が印刷された印刷媒体の不正使用を防止することができるという効果が得られる。
【発明を実施するための最良の形態】
【００１１】
以下、本発明の一実施形態による印刷システムを図面を参照して説明する。図１は同実施形態の構成を示すブロック図である。この図において、符号１は、印刷データに基づいて印刷媒体に印刷を行う画像形成装置である。符号２は、印刷媒体に印刷するべき画像の印刷データを作成し、この印刷データを画像形成装置１へ送信することにより印刷指示を行う端末であり、パソコン等から構成する。符号３は、印刷物が印刷されて発行された履歴情報を管理する管理サーバである。画像形成装置１、端末２及び管理サーバ３は、コンピュータネットワークにより接続されており、各装置間で情報通信が可能である。
【００１２】
符号１１は、画像形成装置１の処理動作を統括して制御する制御部である。符号１２は、コンピュータネットワークを介して、端末２及び管理サーバ３のそれぞれと情報通信を行う通信部である。符号１３は、端末２から送信され、通信部１２において受信された印刷データを保持するホストバッファである。符号１４は、画像形成装置１を一意に識別することができる装置の固体番号（装置識別番号）を記憶する装置識別番号記憶部であり、読み出し専用のメモリから構成する。装置識別番号は、画像形成装置１の製造時に装置識別番号記憶部１４に書き込まれている。符号１５は、ホストバッファ１３に保持されている印刷データを解釈して変換した画像データを記憶する画像メモリである。符号１６は、画像メモリ１５に記憶されている画像データに基づいて、印刷媒体に画像を転写する印刷部である。符号１７は、給紙カセットから印刷媒体を給紙して印刷部１６へ搬送する給紙部である。符号１８は、印刷部１６において画像が転写された印刷媒体を排紙トレイへ搬送することにより排紙を行う排紙部である。
【００１３】
符号１９は、給紙部１７において給紙カセットから給紙された印刷媒体に埋め込まれているＲＦＩＤタグに書き込まれている印刷媒体の識別番号を読み取るＲＦＩＤリーダである。符号２０は、印刷部１６において画像が転写された印刷媒体に埋め込まれているＲＦＩＤタグに書き込まれている印刷媒体識別番号を読み取るＲＦＩＤリーダである。符号２１は、排紙部１８において排紙トレイへ排紙される直前の印刷媒体に埋め込まれているＲＦＩＤタグに書き込まれている印刷媒体識別番号を読み取るＲＦＩＤリーダ（以下、単にリーダと称する）である。符号３１は、画像形成装置の装置識別番号、印刷媒体の媒体識別番号、印刷を実施した日時である印刷日時及び印刷媒体に印刷した内容を示す印刷情報を関連付けて記憶する管理データベースである。
【００１４】
次に、図２を参照して、図１に示すリーダ１９、２０、２１の位置関係を説明する。図２は、画像形成装置１内の印刷媒体の搬送経路とリーダ１９、２０、２１の位置関係を示す図である。図２において点線で示す経路は、印刷媒体（印刷用紙）の搬送経路である。図２に示す画像形成装置１は、給紙カセット２２を２段備えた例を示しており、それぞれの給紙カセット２２から給紙された印刷媒体が搬送される搬送経路上の給紙ローラの直後にリーダ１９−１とリーダ１９−２が配置されている。また、感光ドラム２３と定着ローラ２４の間の搬送系路上にリーダ２０が配置されており、排紙トレイへ印刷済みの印刷媒体を搬送する排紙ローラの直後にリーダ２１が配置されている。３つのリーダ１９、２０、２１は、搬送経路上を搬送されている印刷媒体に埋め込まれているＲＦＩＤタグに書き込まれている媒体識別番号のみを読み取る必要があるため、通信距離が密着型（通信距離が２ｍｍ以下）であるＲＦＩＤリーダを用いている。
【００１５】
次に、図１に示す印刷システムを使用して印刷を行う印刷物について説明する。印刷物とは、銀行などの小切手、保険業界における請求書や領収書、チケットやバウチャー（金券）のことである。これらの印刷物は、予め書式が印刷された印刷媒体に金額や社名等のみを画像形成装置１によって印刷するものである。書式が予め印刷された印刷媒体のそれぞれには、印刷媒体を一意に識別可能な媒体識別番号が書き込まれたＲＦＩＤタグが埋め込まれており、画像形成装置１の２つの給紙カセット２２にセットされている印刷媒体の媒体識別番号は、予め既知の状態で管理されて印刷が実施される。
【００１６】
次に、図１を参照して、画像形成装置１において印刷が実行された場合の印刷履歴情報を管理する動作を説明する。ここでは、画像形成装置１の給紙カセット２２には、チケットの書式が予め印刷された印刷媒体（用紙）がセットされているものとして、発行したチケットの印刷履歴情報を管理する動作を例にして説明する。
【００１７】
まず、チケットを発行しようとする作業者は、端末２上のアプリケーションを使用して、印刷するべき画像（チケットの名称、開催日時、指定席を特定する識別番号等）を作成し、印刷指示を行う。これを受けて、アプリケーションは、作成された画像の印刷データを画像形成装置１へ送信する。この印刷データは、通信部１２が受信し、ホストバッファ１３に記憶する。
【００１８】
次に、制御部１１は、ホストバッファ１３に記憶されている印刷データを順に読み出し、この印刷データを解析し、ビットマップデータに変換して画像メモリ１５へ記憶する。
そして、制御部１１は、印刷部１６に対して、印刷指示を出力する。これを受けて、印刷部１６は、給紙部１７に対して、印刷媒体を給紙するように指示する。給紙部１７は、給紙カセット２２から印刷媒体を給紙し、印刷部１６へ搬送する。このとき、リーダ１９は、給紙された印刷媒体のＲＦＩＤタグに書き込まれている媒体識別番号を読み込み、制御部１１へ出力する。制御部１１は、リーダ１９が出力した媒体識別番号を内部に保持する。続いて、印刷部１６は、画像メモリ１５からビットマップデータを読み出し、給紙された印刷媒体に対して、読み出したビットマップデータに基づく画像を転写する。このとき、リーダ２０は、印刷された印刷媒体のＲＦＩＤタグに書き込まれている媒体識別番号を読み込み、制御部１１へ出力する。制御部１１は、リーダ２０が出力した媒体識別番号を内部に保持する。そして、印刷部１６は、排紙部１８に対して、印刷済みの印刷媒体を排紙するように指示する。排紙部１８は、印刷済みの印刷媒体を排紙トレイへ搬送する。このとき、リーダ２１は、排紙しようとする印刷媒体のＲＦＩＤタグに書き込まれている媒体識別番号を読み込み、制御部１１へ出力する。制御部１１は、リーダ２１が出力した媒体識別番号を内部に保持する。これにより、排紙トレイには、印刷するべき画像（チケットの名称、開催日時、指定席を特定する識別番号等）が印刷された印刷物が排紙されることになる。
【００１９】
次に、制御部１１は、内部に保持している３つのリーダ１９、２０、２１から出力された３つの媒体識別番号が完全に一致するか否かを判定する。この判定の結果、完全一致していなければ、異常印刷と判断して、警報を画像形成装置１が操作パネルの表示部に表示する。一方、３つの媒体識別番号が完全一致した場合、制御部１１は、装置識別番号記憶部１４から装置識別番号を読み出し、図示しないタイマより現時点の日時情報を読み出し、さらに、ホストバッファ１３に記憶されている印刷データを読み出す。そして、制御部１１は、装置識別番号記憶部１４から読み出した装置識別番号と、内部に保持している媒体識別番号と、タイマより取得した日時情報と、ホストバッファ１３から読み出した印刷データとを含む印刷実行履歴登録要求を管理サーバ３に対して、通信部１２を介して送信する。
【００２０】
印刷実行履歴登録要求を受信した管理サーバ３は、受信した印刷実行履歴登録要求に含まれる装置識別番号と、媒体識別番号と、日時情報と、印刷データを抽出する。そして、管理サーバ３は、装置識別番号と、媒体識別番号と、日時情報と、印刷データをそれぞれ管理データベース３１の装置識別番号、媒体識別番号、印刷日時、印刷情報として登録する。登録が正常に終了した場合、管理サーバ３１は、画像形成装置１に対して、登録完了通知を送信する。この登録完了通知は、通信部１２を介して制御部１１が受信し、制御部１１は、この登録完了通知が受信できた時点で、次の印刷の実行可能とする。
【００２１】
このように、印刷媒体に一意の識別番号を付与しておき、印刷動作の印刷媒体搬送中に読み込まれた識別番号が完全に一致した場合に、印刷した装置の識別番号と印刷媒体の識別番号を関連付けて管理サーバ３へ登録するようにしたため、印刷された印刷物が指定された正規の印刷装置で出力されたことを証明することができる。これによって後日、別の媒体識別番号が書き込まれた印刷媒体にコピーされたとしても、その媒体識別番号は管理サーバ３上に正規印刷物として登録されていないため、偽物であるという判断ができ、印刷物の不正使用を防止することができる。また、印刷媒体の搬送経路上に複数のＲＦＩＤリーダを設けたため、印刷動作中に紙詰まり等が発生してリトライした場合のように、同じ印刷内容の印刷物が２枚の印刷媒体に印刷されるケースであっても、給紙、印刷、排紙の正しい搬送経路を通過して印刷された場合のみを正規の印刷として管理することが可能となる。また、ＲＦＩＤリーダに密着型を適用し、正常な印刷動作中の印刷媒体搬送経路のみで印刷媒体識別番号が読み取られるようにしたため、印刷媒体を故意にＲＦＩＤリーダに近付けて印刷媒体の識別番号を不正に読み取らせるなどの不正行為を防止することが可能となる。
【００２２】
なお、図１においては、ＲＦＩＤリーダを給紙部１７、印刷部１６、排紙部１８のそれぞれに備える例を示したが、印刷部１６には設けずに給紙部１７と排紙部１８のみに設け、２つのＲＦＩＤリーダが読み取った媒体識別番号が一致した場合に印刷実行履歴登録要求を行うようにしてもよい。また、排紙部１８には設けずに給紙部１７と印刷部１６のみに設け、２つのＲＦＩＤリーダが読み取った媒体識別番号が一致した場合に印刷実行履歴登録要求を行うようにしてもよい。
【００２３】
また、図１における処理部の機能を実現するためのプログラムをコンピュータ読み取り可能な記録媒体に記録して、この記録媒体に記録されたプログラムをコンピュータシステムに読み込ませ、実行することにより印刷処理管理を行ってもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００２４】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００２５】
【図１】本発明の一実施形態の構成を示すブロック図である。
【図２】印刷媒体の搬送経路とＲＦＩＤリーダの位置関係を示す説明図である。
【符号の説明】
【００２６】
１・・・画像形成装置、１１・・・制御部、１２・・・通信部、１３・・・ホストバッファ、１４・・・装置識別番号記憶部、１５・・・画像メモリ、１６・・・印刷部、１７・・・給紙部、１８・・・排紙部、１９、２０、２１・・・リーダ、２２・・・給紙カセット、２３・・・感光ドラム、２４・・・定着ローラ、２・・・端末、３・・・管理サーバ、３１・・・管理データベース
【図１】
2007065723.tif 000003
【図２】
2007065723.tif 000004